(57)【要約】【課題】使用時に美観を損なわず、また、コンパクトに収納可能な結束テープ具等を提供する。【解決手段】結束テープ具２は、巻物状に巻かれ、静電付着特性を有するテープ２１を有する。テープ２１は、複数の第１の引裂線２２と、第１の引裂線２２により分割される複数の結束切片２３を有する。それぞれの結束切片２３は、第１の引裂線２２の一つに隣接するラベル部分２３２を有する。結束切片２３は、第１の引裂線２２により切り離し可能である。それぞれの結束切片２３は、目的物の周りに伸びるのに適した輪を形成するように、屈曲及び自己付着可能である。【選択図】図３
2010100339.tif 000002
【特許請求の範囲】
【請求項１】
巻物状に巻かれ、静電付着特性を有するテープ（２１）を有し、
前記テープ（２１）は、複数の第１の引裂線（２２）と、前記第１の引裂線（２２）により分割される複数の結束切片（２３）とを有し、
それぞれの前記結束切片（２３）は、前記第１の引裂線（２２）の一つに隣接するラベル部分（２３２）を有し、
前記結束切片（２３）は、前記第１の引裂線（２２）に沿って切り離し可能であり、
前記結束切片（２３）は、目的物の周りに伸びるのに適した輪を形成するように、屈曲及び自己付着可能であることを特徴とする結束テープ具。
【請求項２】
前記第１の引裂線（２２）は、平行に、相互に間隔をおいて、前記テープ（２１）の長さに沿って配置されることを特徴とする請求項１に記載の結束テープ具。
【請求項３】
更に、前記第１の引裂線（２２）を横断する方向に相互に間隔をおいて配置される第２の引裂線（２５）を有し、
前記第２の引裂線（２５）は、前記テープ（２１）を、前記第１の引裂線（２２）および前記結束切片（２３）をそれぞれ有する複数のサブテープ（２１’）に分割することを特徴とする請求項１に記載の結束テープ具。
【発明の詳細な説明】
【技術分野】
【０００１】
本発明は、結束テープ具、特に、静電付着特性を持つテープを有する結束テープ具に関するものである。
【背景技術】
【０００２】
様々な家庭電化製品は、相互に絡まりやすく、それゆえ美観性と安全性に影響を与える電気コードを備える。
図１に示すように、プラスチック素材により被われたビニールタイ（ｔｗｉｓｔ  ｍｅｔａｌ  ｔｉｅ）１は、主に必要以上に長い電気コード２に巻きつけて使用する。
図２に示すように、面ファスナーバンド（ｈｏｏｋ−ａｎｄ−ｌｏｏｐ  ｂａｎｄ）３を用いて電気コード２を結束し、面ファスナー方式で貼り付けるという方法がある。
また、特許文献１では、結束留め具と、この結束留め具に挿通してコードを固定するための結束バンドからなり、結束留め具の上部に前記結束バンドの溝を係止する係止部を設け、結束バンドは伸縮弾性をもった帯状に溝を適宣、間隔をおいて配設したコード結束具を開示している。
【先行技術文献】
【特許文献】
【０００３】
【特許文献１】特開２００６−３２１５５７号公報
【発明の概要】
【発明が解決しようとする課題】
【０００４】
しかしながら、ビニールタイ１や特許文献１で開示されたコード結束具を用いる方法では、使用中の美観性に問題がある。
また、面ファスナーバンド３の製造費用は比較的高いという問題がある。
更に、大量のビニールタイ１や面ファスナーバンド３、特許文献１に開示されたコード結束具を収納する場合、乱雑になってしまい、また、収納に必要な容量も大きくなって不便であるという問題がある。
【０００５】
本発明は、前述した問題点に鑑みてなされたもので、その目的とすることは、使用時に美観を損なわず、また、コンパクトに収納可能な結束テープ具を提供することである。
【課題を解決するための手段】
【０００６】
前述した目的を達成するために、第１の発明は、巻物状に巻かれ、静電付着特性を有するテープ（２１）を有し、前記テープ（２１）は、複数の第１の引裂線（２２）と、前記第１の引裂線（２２）により分割される複数の結束切片（２３）とを有し、それぞれの前記結束切片（２３）は、前記第１の引裂線（２２）の一つに隣接するラベル部分（２３２）を有し、前記結束切片（２３）は、前記第１の引裂線（２２）に沿って切り離し可能であり、前記結束切片（２３）は、目的物の周りに伸びるのに適した輪を形成するように、屈曲及び自己付着可能であることを特徴とする結束テープ具である。
【０００７】
また、前記第１の引裂線（２２）は、平行に、相互に間隔をおいて、前記テープ（２１）の長さに沿って配置されることが好ましい。
【０００８】
また、前記第１の引裂線（２２）を横断する方向に相互に間隔をおいて配置される第２の引裂線（２５）を有し、前記第２の引裂線（２５）は、前記テープ（２１）を、前記第１の引裂線（２２）および前記結束切片（２３）をそれぞれ有する複数のサブテープ（２１’）に分割することが好ましい。
【発明の効果】
【０００９】
本発明により、使用時に美観を損なわず、また、コンパクトに収納可能な結束テープ具等を提供することができる。
【図面の簡単な説明】
【００１０】
【図１】従来技術に係るビニールタイ１により結束された電気コード２を示す斜視図。
【図２】従来技術に係る面ファスナーバンド３により結束された電気コード２を示す斜視図。
【図３】本発明に係る結束テープ具の第１の実施形態を示す斜視図。
【図４】第１の実施形態のテープから切り離された結束切片により結束された電気コードを示す斜視図。
【図５】本発明に係る結束テープ具の第２の実施形態を示す斜視図。
【発明を実施するための形態】
【００１１】
以下図面に基づいて、本発明に係る結束テープ具の実施形態を詳細に説明する。尚、以下の説明および図面において、略同一の機能構成を有する構成要素については、同一の符号を付することにより重複説明を省略することにする。
【００１２】
最初に、図３、４を参照しながら、本発明に係る結束テープ具（ｂｕｎｄｌｉｎｇ  ｔａｐｅ  ｄｅｖｉｃｅ）の第１の実施形態について説明する。
図３は、本発明に係る結束テープ具の第１の実施形態を示す斜視図、図４は、第１の実施形態のテープから切り離された結束切片により結束されたコードを示す斜視図である。
本発明に係る結束テープ具２は、巻物状になるように巻かれる（ｗｏｕｎｄ  ｉｎｔｏ  ａ  ｐｌｕｒａｌｉｔｙ  ｏｆ  ｌｏｏｐｓ  ｏｎｅ  ａｒｏｕｎｄ  ｔｈｅ  ｏｔｈｅｒ）テープ（ｔａｐｅ）２１を有する。テープ２１は、断面が丸い心棒（ｍａｎｄｒｅｌ）２０の周りに伸びており、静電付着特性（ｅｌｅｃｔｒｏｓｔａｔｉｃ  ａｄｈｅｓｉｏｎ  ｐｒｏｐｅｒｔｙ）を有する。本実施形態において、テープ２１はポリエチレン（ＰＥ）、ポリ塩化ビニル（ＰＶＣ）などのような柔軟性のあるシート素材からなる。テープ２１の色は濃い（ｄａｒｋ）。もちろん、テープ２１は透明あるいは他の色でもよい。
【００１３】
テープ２１は、複数の第１の引裂線（ｔｅａｒｉｎｇ  ｌｉｎｅ）２２と、第１の引裂線２２により分割される複数の結束切片（ｂｕｎｄｌｉｎｇ  ｓｅｃｔｉｏｎ）２３を有する。結束切片２３はテープ２１の長さに沿って相互に連結されるように、第１の引裂線２２は互いに平行に、テープ２１の長さに沿って相互に間隔をおいて配置される。それぞれの結束切片２３は実質的には濃い色で、第１の引裂線２２の一つに隣接するラベル部分（ｌａｂｅｌ  ｐｏｒｔｉｏｎ）２３２と、ラベル部分２３２の反対の接合端（ａｔｔａｃｈｍｅｎｔ  ｅｎｄ）２３１を有する。結束切片２３は、第１の引裂線２２に沿って切り離し可能である。それぞれの結束切片２３は、屈曲可能であり、静電付着により自己付着し、輪を形成する。
【００１４】
図４に示すように、使用時、電気コード４がきちんとコンパクトな収納形状に束ねられた場合、テープ２１は繰り出され、第１の引裂線２２の一つに沿って切り取られることにより結束切片２３の一つがテープ２１から切り離され、個別の結束切片（ｉｎｄｉｖｉｄｕａｌ  ｂｕｎｄｌｉｎｇ  ｓｅｃｔｉｏｎ）２４が得られる。個別の結束切片２４の接合端２３１を電気コード４に貼り付けた後、輪を形成するまで、個別の結束切片２４は電気コード４の周りに巻き着けられる。個別の結束切片２４は、静電付着の効果により自身にしっかりと貼り付く。ラベル部分２３２は、非付着部分でも付着部分でもよい。第１の実施形態では、ラベル部分２３２は結束切片２３の残りの部分とは異なる色を有する。
【００１５】
結束切片２３のラベル部分２３２により、ユーザは一つの結束切片２３を繰り出す開始点、あるいは一つの結束切片２３を切り取った点を、容易にかつ明確に特定することが可能となる。更に、電気コード４が個別の結束切片２４を用いて部分的に結束され、使用時に結束されない部分を有する場合、ラベル部分２３２を操作することにより結束されない部分の長さを長くしたり短くしたりし、個別の結束切片２４をほどくことができ、電気コード４の結束した部分を外すことができる。その後、電気コード４は個別の結束切片２４を用いて再び結束することが可能である。
更に、第１の引裂線２２の効果により、結束切片２３は使用前に巻物状に巻かれ、収納スペースを小さくし、持ち運ぶにも便利で、また、使用時には容易に個別の結束切片２４に切り離すことが可能である。
【００１６】
次に、図５を参照しながら、本発明に係る結束テープ具の第２の実施形態について説明する。
図５は、本発明に係る結束テープ具の第２の実施形態を示す斜視図である。
本発明の第２の実施形態は、テープ２１が第１の引裂線２２を横断する方向に相互に間隔をおいて配置される複数の第２の引裂線２５を有する点で、第１の実施形態のテープ２１と異なる。第２の実施形態において、テープ２１は断面が板状の心棒２０’の周りに巻きつけられる。平行に配置される３つのサブテープ２１’があり、第２の引裂線２５により分割される。それぞれのサブテープ２１’は、第１の引裂線２２と、結束切片２３を有する。
【００１７】
以上で説明された発明について、本発明の精神から離れることなく各種の変更例又は修正例に到達可能であることは明らかである。したがって、本発明は、列挙された特許請求の範囲のみにより限定されることを意図する。
【符号の説明】
【００１８】
１………ビニールタイ
２………電気コード
２………結束テープ具
３………面ファスナーバンド
４………電気コード
２０、２０’………心棒
２１………テープ
２１’………サブテープ
２２………第１の引裂線
２３………結束切片
２３１………接合端
２３２………ラベル部分
２４………個別の結束切片
２５………第２の引裂線
【図１】
2010100339.tif 000003
【図２】
2010100339.tif 000004
【図３】
2010100339.tif 000005
【図４】
2010100339.tif 000006
【図５】
2010100339.tif 000007
【外国語明細書】
2010100339000001.pdf